(57)【要約】      （修正有）【課題】内蔵式引出しスライドレールの自動クローズ装置の提供。【解決手段】自動クローズスライドフック６はその前案内柱６１、後ろ案内柱６２により自動クローズシート７の滑り溝７０を順調にスライドし、後ろ案内柱が滑り溝の前側に至りその下位置決め滑り溝７０１２の上方に位置する時、順調に該下位置決め滑り溝内に進入し、自動クローズスライドフックの後側が上向きに起きて、自動クローズスライドフックの位置決め凹溝６４も回転してある角度傾斜し、内スライドレールがもとの位置に回復する時連動棒の挿入に便利で自動クローズスライドフックを駆動してその前側を上向きに起こし並びに前案内柱を下位置決め滑り溝より離脱させバネ６０の力により自動クローズスライドフックを駆動して内スライドレールと引出しを駆動し、自動クローズ機能及び確実な自動クローズ機能を達成する。【選択図】図４
0003105929.tif 000002
【実用新案登録請求の範囲】
【請求項１】
少なくとも内スライドレール、中スライドレール、外スライドレール、内スライドレールと中スライドレールの間に挟まれた第１スライド内ブシュ及び中スライドレールと外スライドレールの間に設けられた第２スライド内ブシュで構成され、該外スライドレールはキャビネットの引出し収容空間の内側壁の所定位置に固定され、内スライドレールの上方が引出しの側壁に固定され、引出しを外向きに引き出し内向きの収納するのに供される引出しスライドレールに使用される自動クローズ装置であり、該自動クローズ装置は連動ブロック、自動クローズスライドフック、自動クローズシートを具え、
該連動ブロックは内スライドレールに固定され、孔と孔の前側に形成された連接棒を具え、
該自動クローズスライドフックは、バネの一側に固定され、
該自動クローズシートは、外スライドレールの底端面の所定の部分に固定され、
内スライドレールが引出しと共に後ろに移動する時、それに設けられた連動ブロックの連動棒が自動クローズスライドフックを駆動し、自動クローズスライドフックが外スライドレールを伴いバネの力により自動的に後方に回復し、自動クローズ機能を達成するスライドレールの自動クローズ装置において、
該自動クローズスライドフックは、左右両側の前後に対称に前案内柱と後ろ案内柱を具えて自動クローズシートの滑り溝の両側の隣り合う壁面に設けられた滑り溝内に枢設され、該自動クローズスライドフックが自動クローズシートの滑り溝内を往復してスライドし、且つその前側に前向き下方に傾斜する案内斜面が設けられ、中間近くの部分に位置決め凹溝が設けられ、別にその後側の底部に下向きに位置決めフックが延伸されてバネの一側との接続に供され、さらにバネにより自動クローズシートと接続され、
該自動クローズシートは、引出しの前後往復方向と同じ方向の滑り溝を具え、該滑り溝内の両側の隣り合う壁面に同一方向の滑り溝が設けられ、該滑り溝の後側にストッパ面が設けられ、前側に下向きに折り曲げられた下位置決め滑り溝が延伸形成され、またこの隣り合う壁面の滑り溝の後側の隣り合う側壁にフックが設けられてバネの別側が係止、位置決めされ、更に、該隣り合う壁面の滑り溝の後側近くの上方部分にストッパ面が設けられて、自動クローズスライドフックの後端面の上方の当接に供されることを特徴とする、引出しスライドレールの自動クローズ装置。
【請求項２】
請求項１記載の引出しスライドレールの自動クローズ装置において、自動クローズシートの滑り溝の下方が下に開放状を呈し、その後側上方に適宜面積の封閉部が設けられてバネの位置決め機能が高められて使用時の離脱を防止することを特徴とする、引出しスライドレールの自動クローズ装置。
【請求項３】
請求項１記載の引出しスライドレールの自動クローズ装置において、自動クローズシートの滑り溝の前側の下向きに折り曲げられ延伸された下位置決め滑り溝の上端に別に案内溝が接続され、該案内溝が自動クローズシートの上端面に連通し上向きの開放状態を呈し、組合せ取付時に前案内柱と後ろ案内柱を具えた自動クローズスライドフックの取付に便利とされたことを特徴とする、引出しスライドレールの自動クローズ装置。
【請求項４】
請求項１記載の引出しスライドレールの自動クローズ装置において、自動クローズシートの滑り溝の前側に嵌め溝が設けられて、嵌合ブロックを具えた緩衝パッドと嵌合されることを特徴とする、引出しスライドレールの自動クローズ装置。
【考案の詳細な説明】
【技術分野】
【０００１】
本考案は一種の引出しスライドレールの自動クローズ装置に係り、特に自動クローズ動作が確実で構成部品が少なく組立にかかる人力と時間を減らせ、バネが脱落や変形しにくく、自動クローズスライドフックの取付が容易であるものに関する。
【背景技術】
【０００２】
周知の引出しスライドレール８の自動クローズ装置は、図１、２に示されるように
クローズシート８１、連動ブロック８２と可動ブロック８３で構成され、その部品は比較的多く、製造コストが高いだけでなく組立、取付にも時間がかかる。このほか、組立加工作業の錯誤や使用者が引出しを整理する時に不注意から可動ブロック８３に接触してそれが不正常な位置（図１参照）となると、引出しの内スライドレール８４のフック８４１が完全に定位まで押し戻されなくなり、使用者にトラブルをもたらした。
【０００３】
別の周知の引出し９は図３に示されるようであり、その自動クローズ装置は自動クローズシート９１、バネ９２、連動ブロック９３及び内スライドレール９４の当接ブロック９４１で構成され、バネ９２は逆Ｕ形に設置され、これによりある期間使用すると、バネ９２が変形或いは弾性疲労を発生しやすく、且つバネ９２は直接露出し離脱の状況を発生しやすい。
【考案の開示】
【考案が解決しようとする課題】
【０００４】
前述の周知の引出しのスライドレールの自動クローズ装置の多くの欠点を鑑み、本考案はそれを改善した引出しスライドレールの自動クローズ装置を提供するものである。
【０００５】
本考案の主要な目的は、一種の引出しスライドレールの自動クローズ装置を提供することにあり、それは、自動クローズシート、バネ、自動クローズスライドフックと内スライドレール内に設けられた連動ブロックにより自動クローズ機能を達成し、構成部品が簡単で、組立が容易で製造コストを減らせるものとする。
【０００６】
本考案はまた一種の引出しスライドレールの自動クローズ装置を提供することを目的とし、それは、その自動クローズスライドフックがその両側に左右対称な前案内柱、後ろ案内柱により自動クローズシート内の滑り溝をスライドし、且つ後ろ案内柱が滑り溝の前側に下向きに折れ曲がった下位置決め滑り溝の上方に至る時、順調に下向きに該下位置決め滑り溝に進入し、これにより自動クローズスライドフックの後側が起き上がり、自動クローズスライドフックの位置決め凹溝もまた所定の角度傾斜し、これにより内スライドレールがもとの位置に回復する時、連動棒が自動クローズスライドフックに挿入されてそれを駆動し、その前側を上向きに起こして前案内柱を下位置決め滑り溝より離脱させ、バネの力により自動クローズスライドフックを駆動して内スライドレールと引出しを駆動し、これにより自動クローズ機能と自動クローズ動作を確実にする目的を達成するものとする。
【０００７】
本考案の別の目的は、一種の引出しスライドレールの自動クローズ装置を提供することにあり、それは、自動クローズシートが外スライドレールの底端面に固定され、その上方後側に大面積の封閉部が設けられ、これにより滑り溝内の後側と自動クローズスライドフックの間に設けられたバネが使用時に良好な位置決め効果を得て、脱落防止されるものとする。
【０００８】
本考案の更に別の目的は、一種の引出しスライドレールの自動クローズ装置を提供することにあり、それは、その自動クローズシートの滑り溝の前側の下向きに延伸された下位置決め滑り溝の上端に別に滑り溝の上端面に向けて開放状態を呈する案内溝が設けられ、これにより自動クローズスライドフックの自動クローズシートへの取付に便利であるものとする。
【０００９】
本考案の更にまた別の目的は、一種の引出しスライドレールの自動クローズ装置を提供することにあり、それは、そのバネが直線方向に往復して伸縮し、折り曲げ形態で引っ張られず、これによりある期間使用しても変形や脱落を発生しにくいものとする。
【課題を解決するための手段】
【００１０】
請求項１の考案は、少なくとも内スライドレール、中スライドレール、外スライドレール、内スライドレールと中スライドレールの間に挟まれた第１スライド内ブシュ及び中スライドレールと外スライドレールの間に設けられた第２スライド内ブシュで構成され、該外スライドレールはキャビネットの引出し収容空間の内側壁の所定位置に固定され、内スライドレールの上方が引出しの側壁に固定され、引出しを外向きに引き出し内向きの収納するのに供される引出しスライドレールに使用される自動クローズ装置であり、該自動クローズ装置は連動ブロック、自動クローズスライドフック、自動クローズシートを具え、  該連動ブロックは内スライドレールに固定され、孔と孔の前側に形成された連接棒を具え、
該自動クローズスライドフックは、バネの一側に固定され、
該自動クローズシートは、外スライドレールの底端面の所定の部分に固定され、
内スライドレールが引出しと共に後ろに移動する時、それに設けられた連動ブロックの連動棒が自動クローズスライドフックを駆動し、自動クローズスライドフックが外スライドレールを伴いバネの力により自動的に後方に回復し、自動クローズ機能を達成するスライドレールの自動クローズ装置において、
該自動クローズスライドフックは、左右両側の前後に対称に前案内柱と後ろ案内柱を具えて自動クローズシートの滑り溝の両側の隣り合う壁面に設けられた滑り溝内に枢設され、該自動クローズスライドフックが自動クローズシートの滑り溝内を往復してスライドし、且つその前側に前向き下方に傾斜する案内斜面が設けられ、中間近くの部分に位置決め凹溝が設けられ、別にその後側の底部に下向きに位置決めフックが延伸されてバネの一側との接続に供され、さらにバネにより自動クローズシートと接続され、
該自動クローズシートは、引出しの前後往復方向と同じ方向の滑り溝を具え、該滑り溝内の両側の隣り合う壁面に同一方向の滑り溝が設けられ、該滑り溝の後側にストッパ面が設けられ、前側に下向きに折り曲げられた下位置決め滑り溝が延伸形成され、またこの隣り合う壁面の滑り溝の後側の隣り合う側壁にフックが設けられてバネの別側が係止、位置決めされ、更に、該隣り合う壁面の滑り溝の後側近くの上方部分にストッパ面が設けられて、自動クローズスライドフックの後端面の上方の当接に供されることを特徴とする、引出しスライドレールの自動クローズ装置としている。
請求項２の考案は、請求項１記載の引出しスライドレールの自動クローズ装置において、自動クローズシートの滑り溝の下方が下に開放状を呈し、その後側上方に適宜面積の封閉部が設けられてバネの位置決め機能が高められて使用時の離脱を防止することを特徴とする、引出しスライドレールの自動クローズ装置としている。
請求項３の考案は、請求項１記載の引出しスライドレールの自動クローズ装置において、自動クローズシートの滑り溝の前側の下向きに折り曲げられ延伸された下位置決め滑り溝の上端に別に案内溝が接続され、該案内溝が自動クローズシートの上端面に連通し上向きの開放状態を呈し、組合せ取付時に前案内柱と後ろ案内柱を具えた自動クローズスライドフックの取付に便利とされたことを特徴とする、引出しスライドレールの自動クローズ装置としている。
請求項４の考案は、請求項１記載の引出しスライドレールの自動クローズ装置において、自動クローズシートの滑り溝の前側に嵌め溝が設けられて、嵌合ブロックを具えた緩衝パッドと嵌合されることを特徴とする、引出しスライドレールの自動クローズ装置としている。
【考案の効果】
【００１１】
本考案の引出しスライドレールの自動クローズ装置は、自動クローズ動作が確実で構成部品が少なく組立にかかる人力と時間を減らせ、バネが脱落や変形しにくく、自動クローズスライドフックの取付が容易である。
【考案を実施するための最良の形態】
【００１２】
図４から図９に示されるように、本考案の引出しスライドレールの自動クローズ装置によると、引出しスライドレールは少なくとも内スライドレール１、中スライドレール２、外スライドレール３、内スライドレール１と中スライドレール２の間に挟まれた第１スライド内ブシュ１０（図７参照）及び中スライドレール２と外スライドレール３の間に設けられた第２スライド内ブシュ（図示せず）を具えている。前述の外スライドレール３はキャビネットの引出しを収容する空間の内側壁の所定位置（図示せず）に取付られ、内スライドレール１の上方は引出し（図示せず）の側壁と結合され、引出しは外向きに引き出され、内向きに押し込まれる。
【００１３】
該自動クローズ装置は、連動ブロック１１、自動クローズスライドフック６、自動クローズシート７を具えている。
【００１４】
該連動ブロック１１は内スライドレール１に固定され、孔１１０を具え、該孔１１０により前側に連動棒１１１が形成されている。
【００１５】
該自動クローズスライドフック６は、バネ６０の一側６０１に固定される。
【００１６】
該自動クローズシート７は、外スライドレール３の底端面３３の所定の部分に固定される。
【００１７】
上述の部品で組成され、内スライドレール１が引出しと共に後ろに移動する時、それに設けられた連動ブロック１１の連動棒が１１１自動クローズスライドフック６を駆動し、自動クローズスライドフック６が内スライドレール１と連帯してバネ６０の力により自動的に後方に回復し、自動クローズの効果を達成する。
【００１８】
本考案の特徴は以下のとおりである。
該自動クローズスライドフック６は、左右両側の前後に前案内柱６１と後ろ案内柱６２を具えて自動クローズシート７の滑り溝７０内の両側の壁面に設けられた滑り溝７０１内に枢設され、該自動クローズスライドフック６が自動クローズシート７の滑り溝７０内を往復してスライドし、且つその前側に前向き下方に傾斜する案内斜面６３が設けられ、中間近くの部分に位置決め凹溝６４が設けられ、別にその後側の底部に下向きに位置決めフック６５が延伸されてバネ６０の一側６０１との接続に供され、さらにバネ６０により自動クローズシート７と接続されている。
【００１９】
該自動クローズシート７は、引出しの前後往復方向と同じ方向の滑り溝７０を具え、該滑り溝７０内の一側の隣り合う壁面に同一方向の滑り溝７０１が設けられ、該滑り溝７０１の後側にストッパ面７０１１が設けられ、前側に下向きに折り曲げられた下位置決め滑り溝７０１２が延伸形成され（図８、９）、また該滑り溝７０１の後側の隣り合う側壁にフック７０１３が設けられてバネ６０のもう一側６０２が係止、位置決めされ、更に、該滑り溝７０１の後側近くの上方部分にストッパ面７０２が設けられて、自動クローズスライドフック６の後端面６６の上方の当接に供される。
【００２０】
前述の特徴により、閉じた状態の時、自動クローズスライドフック６の後ろ案内柱６２は自動クローズシート７の滑り溝７０１の後側のストッパ面７０１１にブロックされ（図８）、且つ該自動クローズスライドフック６の後端面６６上方が自動クローズシート７の滑り溝７０の後側のストッパ面７０２にブロックされ、内スライドレール１の連動ブロック１１の連動棒１１１は自動クローズスライドフック６の位置決め凹溝６４内に位置する。引出しが外スライドレール１を伴い外向きに引き出される時、連動ブロック１１は自動クローズスライドフック６を駆動して自動クローズスライドフック６がその前案内柱６１と後ろ案内柱６２により自動クローズシート７の滑り溝７０１内で前方にスライドし、前案内柱６１が滑り溝７０１の前側に至ると、下向きに下位置決め滑り溝７０１２内に進入し、自動クローズスライドフック６の後側が起き上がり、前側の前案内柱６１が該下位置決め滑り溝７０１２に位置決めされ（図９）、並びに内スライドレール１の連動棒１１１が自動クローズスライドフック６の位置決め凹溝６４より離脱して続けて前向きにスライドする。反対に、引出しが内スライドレール１を伴い後ろ向きにもとの位置に戻される時、連動棒１１１の前側が自動クローズスライドフック６の前側に接触し並びにその案内斜面６３に沿ってその位置決め凹溝６４に進入し、並びに後ろ向きに該位置決め凹溝６４の隣り合う後側壁面６４１に当接し、これにより自動クローズスライドフック６の前側が起き上がり、同時にその前側の前案内柱６１が下位置決め滑り溝７０１２に沿って上向きにスライドして該下位置決め滑り溝７０１２の位置決めより離脱し、並びにバネ６０の弾性回復力により滑り溝７０１の後側に向けてスライドし、その後ろ案内柱６２が滑り溝７０１の後側ストッパ面７０１１にブロックされ、こうして自動クローズ機能が達成される。
【００２１】
更に、前述の自動クローズシート７の滑り溝７０の下方は下向きの開放状態を呈し、その後側上方に適当な面積の封閉部７０３が設けられ、バネ６０の位置決め効果を増し、使用時の離脱を防止する。
【００２２】
更に、前述の自動クローズシート７の滑り溝７０１の前側の下向きに折り曲げられ延伸された下位置決め滑り溝７０１２の上端は案内溝７０４に接続され、該案内溝７０４は自動クローズシート７の上端面７４に連通して上向きの開放状態を呈し、組合せ取付時に前述の前案内柱６１と後ろ案内柱６２の自動クローズスライドフック６への取付に便利である。
【００２３】
また、前述の自動クローズシート７の前側に嵌め溝７６が設けられ、嵌合ブロック７５１を具えた弾性樹脂材質の緩衝パッド７５と嵌合される。
【００２４】
本考案は以下のような機能を具えている。
１．自動クローズシート７、バネ６０、自動クローズスライドフック６と内スライドレール１に設けられた連動ブロック１１等の部品だけで自動クローズ機能を達成し、部品が簡単で組立が容易で製造コストを下げることができ、製品の競争力を高めることができる。
２．自動クローズスライドフック６が両側の左右対称な前案内柱６１、後ろ案内柱６２により自動クローズシート７の滑り溝７０１にあって平穏順調にスライドし、且つ後ろ案内柱６２が滑り溝７０１の前側の下向きに折り曲げられた下位置決め滑り溝７０１２の上方に至る時、順調に下向きに該下位置決め滑り溝７０１２中に進入し、自動クローズスライドフック６の後側が起き上がり、自動クローズスライドフック６の位置決め凹溝６４もまた回転してある角度傾斜し、内スライドレール１がもとの位置に戻る時に連動棒１１１が該自動クローズスライドフック６に挿入されてその前側を上向きに起こして前案内柱６１に下位置決め滑り溝７０１２を離脱させ、バネ６０の弾力により自動クローズスライドフック６が内スライドレール１と引出しを駆動し、自動クローズ機能を達成する。
３．自動クローズシート７は外スライドレール３の底端面３３に固定され、その上方後側に比較的大きな面積の封閉部７０３が設けられ、これにより滑り溝７０内の後側と自動クローズスライドフック６の間に設けられたバネ６０が使用時に良好な位置決め効果を具え、バネの脱落を防止できるものとする。
４．自動クローズシート７の滑り溝７０１の前側の下向きに延伸された下位置決め滑り溝７０１２の上端が別に滑り溝７０に向いた上端面が開放状態を呈する案内溝７０４に接続され、これにより自動クローズスライドフック６の自動クローズシート７への取付に便利である。
５．バネ６０は直線方向に往復伸縮し非折り曲げ形態で引き伸ばされ、ある時間の後に変形或いは脱落を発生しにくい。
【図面の簡単な説明】
【００２５】
【図１】周知の引出しスライドレールの自動クローズシートの定位に押し戻し不能となった状態を示す立体図である。
【図２】周知の引出しスライドレールの自動クローズシートの定位に押し戻し不能となった状態を示す平面図である。
【図３】別の周知の引出しスライドレールの部分立体図である。
【図４】本考案の実施例の立体分解図である。
【図５】本考案の実施例の立体組合せ図である。
【図６】本考案の実施例の外スライドレールが内スライドレールと嵌合されていない状態の立体分解図である。
【図７】本考案の実施例の引出しスライドレールの上方の立体組合せ図である。
【図８】本考案の実施例中の自動クローズスライドフックの後ろ案内柱が滑り溝のストッパ面にブロックされた状態の断面図である。
【図９】本考案の実施例中の自動クローズスライドフックの前案内柱が下位置決め滑り溝に位置決めされた状態の断面図である。
【符号の説明】
【００２６】
１  内スライドレール
１０  第１スライド内ブシュ
１１  連動ブロック
１１０  孔
１１１  連動棒
２  中スライドレール
３  外スライドレール
３３  底端面
６  自動クローズスライドフック
６０  バネ
６０１  一側
６１  前案内柱
６２  後ろ案内柱
６３  案内斜面
６４  位置決め凹溝
６４１  後側壁面
６６  後端面
７  自動クローズシート
７０  滑り溝
７０１  滑り溝
７０１１  ストッパ面
７０１２  下位置決め滑り溝
７０１３  フック
７０２  ストッパ面
７０３  封閉部
７０４  案内溝
７４  上端面
７５  緩衝パッド
７５１  嵌合ブロック
７６  嵌め溝
【図１】
0003105929.tif 000003
【図２】
0003105929.tif 000004
【図３】
0003105929.tif 000005
【図４】
0003105929.tif 000006
【図５】
0003105929.tif 000007
【図６】
0003105929.tif 000008
【図７】
0003105929.tif 000009
【図８】
0003105929.tif 000010
【図９】
0003105929.tif 000011